(57)【特許請求の範囲】
【請求項１】
ステアリングシャフトに連結されるボスを複数のスポークによってリムに連結させてなる芯金と、装飾部及びこれを前記スポークの異なる部位にそれぞれ固定するための複数の固定部を有するガーニッシュとを備えた車両用ステアリングホイールであって、
前記ガーニッシュには前記芯金の変形に伴って前記複数の固定部のうち少なくとも一つから前記装飾部を分離させるための分離誘発部が形成されてなり、
前記固定部は前記スポークに対向する前記装飾部の対向面から同スポーク側に突出する形状を有するものであり、
前記分離誘発部は前記ガーニッシュにおいて前記固定部の基端近傍に位置する部分を局所的に薄肉化しその薄肉化した部分を前記芯金の変形時に破断させるものであり、
前記固定部は、前記分離誘発部が破断した後、前記スポークに固定されている
ことを特徴とする車両用ステアリングホイール。
【請求項２】
請求項１に記載の車両用ステアリングホイールにおいて、
前記分離誘発部は前記固定部の基端外周部分を囲繞する態様にて前記装飾部に凹設される環状溝によって形成される
ことを特徴とする車両用ステアリングホイール。
【請求項３】
請求項１に記載の車両用ステアリングホイールにおいて、
前記分離誘発部は前記固定部の基端外周部分にその全周にわたり凹設される環状溝によって形成される
ことを特徴とする車両用ステアリングホイール。
【請求項４】
請求項２又は請求項３に記載の車両用ステアリングホイールにおいて、
前記環状溝はその底部に位置する断面角を鋭角とした断面三角形状を有してなる
ことを特徴とする車両用ステアリングホイール。
【請求項５】
請求項１に記載の車両用ステアリングホイールにおいて、
前記固定部は前記スポークに対向する前記装飾部の対向面から同スポーク側に突出するとともに折曲して前記スポークに固定されるものであり、
前記分離誘発部は前記固定部の折曲角部を局所的に薄肉化しその薄肉化した部分を前記芯金の変形時に破断させるものである
ことを特徴とする車両用ステアリングホイール。
【請求項６】
請求項１〜５のいずれか一項に記載の車両用ステアリングホイールにおいて、
前記ガーニッシュは異なる複数のスポークに掛け渡される態様にて前記複数の固定部がそれらスポークにそれぞれ固定されるものである
ことを特徴とする車両用ステアリングホイール。
【請求項７】
請求項６に記載の車両用ステアリングホイールにおいて、
前記固定部は異なる２つのスポークにそれぞれ固定される第１の固定部及び第２の固定部を含み、
前記分離誘発部は上記第１の固定部及び第２の固定部にそれぞれ対応して複数形成され、
前記ガーニッシュは前記第１及び第２の固定部の中間において前記複数のスポークのうちいずれか一つに当接して前記装飾部を支持する支持台座を更に有してなる
ことを特徴とする車両用ステアリングホイール。
【請求項８】
請求項７に記載の車両用ステアリングホイールにおいて、
前記第１及び第２の固定部のいずれか一方はステアリングホイールが非操作状態であるときに前記ボスと車両上下方向において同位置又は同ボスよりも車両上方側に位置するスポークに固定され、他方はステアリングホイールが非操作状態であるときに前記ボスよりも車両下方側に位置するスポークに固定される
ことを特徴とする車両用ステアリングホイール。
【請求項９】
請求項６〜８のいずれか一項に記載の車両用ステアリングホイールにおいて、
前記ガーニッシュは前記複数の固定部のうち少なくとも一つはその固定部の位置する部位から延伸してその端部が前記リム上に位置する
ことを特徴とする車両用ステアリングホイール。
【請求項１０】
請求項１〜９のいずれか一項に記載の車両用ステアリングホイールにおいて、
前記装飾部には車載機器を操作するための操作部が装着される
ことを特徴とする車両用ステアリングホイール。
【発明の詳細な説明】
【技術分野】
【０００１】
この発明は大型のガーニッシュを芯金に取り付けるようにした車両用ステアリングホイールに関する。
【背景技術】
【０００２】
近年、高級化志向の高まりにより、車両用ステアリングホイールにおいては、その部分的な装飾のみならず全体的な装飾が求められている。そこで、ステアリングホイールに取り付けられるガーニッシュについて、芯金の複数のスポークに掛け渡されるようにして取り付けられる比較的大型のものが提案されている（例えば特許文献１参照）。このように大型のガーニッシュを採用することによりその表面に多様な装飾を施すことが可能となり、ステアリングホイール全体についてその意匠性をより高めることができるようになる。
【０００３】
また、近年では、車両衝突時の安全性を確保する観点から、容易に変形することのできる芯金構造を採用したステアリングホイールが種々提案されている（例えば特許文献２参照）。こうしたステアリングホイールでは、車両衝突時に乗員が接触することがあっても、その芯金が変形することで衝突を吸収することができるため、乗員をその衝撃から保護することができるようになる。
【特許文献１】特開２００５−２８０４９９号公報
【特許文献２】特開２０００−２９６７７８号公報
【発明の開示】
【発明が解決しようとする課題】
【０００４】
ところで、ステアリングホイールの衝突吸収量を増大させる上では、車両衝突時における芯金の変形量を極力大きくすることが望ましい。しかし、こうしたステアリングホイールに上述したような比較的大型のガーニッシュを取り付けるようにした構成にあっては、以下のような不都合も無視できないものとなる。すなわち、ガーニッシュは芯金の変形時にはこれに追従して変形しようとするが、こうした変形が生じにくい場合には芯金の変形が規制されて衝撃吸収量が低下してしまうこととなる。これに対処するため、例えばガーニッシュの剛性を低下させることにより、ガーニッシュを芯金の変形に追従して変形させるようにすることが考えられる。しかし、このようにガーニッシュの剛性を低下させる場合には、その厚さをある程度薄くしなければならず、ガーニッシュ表面に多様な装飾を施すことが制限されようになるため、所望の美的外観を得ることができなくなることが懸念される。
【０００５】
この発明は、こうした従来の実情に鑑みてなされたものであり、その目的は、比較的大型のガーニッシュが装着されるステアリングホイールにあって、ガーニッシュの装飾自由度を維持しつつ、車両衝突時には芯金を容易に変形させることによりその衝撃を効果的に吸収することにある。
【課題を解決するための手段】
【０００６】
上記の目的を達成するために、請求項１の発明は、ステアリングシャフトに連結されるボスを複数のスポークによってリムに連結させてなる芯金と、装飾部及びこれを前記スポークの異なる部位にそれぞれ固定するための複数の固定部を有するガーニッシュとを備えた車両用ステアリングホイールであって、前記ガーニッシュには前記芯金の変形に伴って前記複数の固定部のうち少なくとも一つから前記装飾部を分離させるための分離誘発部が形成されてなり、前記固定部は前記スポークに対向する前記装飾部の対向面から同スポーク側に突出する形状を有するものであり、前記分離誘発部は前記ガーニッシュにおいて前記固定部の基端近傍に位置する部分を局所的に薄肉化しその薄肉化した部分を前記芯金の変形時に破断させるものであり、前記固定部は、前記分離誘発部が破断した後、前記スポークに固定されていることを要旨とする。
【０００７】
同構成によれば、車両衝突時に乗員がステアリングホイールに接触した場合、芯金が変形しようとするが、この際、芯金のスポークに固定されたガーニッシュの固定部はその分離誘発部において装飾部から容易に分離する。したがって、芯金の変形がガーニッシュによって規制されないように、同ガーニッシュの剛性、特にその装飾部の剛性を低下させておく必要がない。このため、所望の美的外観が得られるように自由なガーニッシュの装飾が可能となるとともに、車両衝突時には芯金を容易に変形させることによって衝撃を効果的に吸収することができるようになる。
【０００９】
また、ガーニッシュにおいて固定部の基端近傍に位置する部分が薄肉化されているため、同部分は他の部分と比較してその剛性が低いものとなる。そして、このように剛性が低下した部分が芯金の変形時に破断することにより、装飾部を固定部から分離させることができるようになる。
【００１０】
更に、前記分離誘発部は、請求項２に記載の発明によるように、前記固定部の基端外周部分を囲繞する態様にて前記装飾部に凹設される環状溝によって形成されるといった構成、あるいは、請求項３に記載の発明によるように、前記固定部の基端外周部分にその全周にわたり凹設される環状溝によって形成されるといった構成によって具体化することができる。
【００１１】
請求項４に記載の発明は、請求項２又は請求項３に記載の車両用ステアリングホイールにおいて、前記環状溝はその底部に位置する断面角を鋭角とした断面三角形状を有してなることを要旨とする。
【００１２】
同構成によれば、芯金の変形時に作用する力によって環状溝の底部先端に応力集中が生じ、同先端を起点として亀裂が発生し易くなるため、分離誘発部において容易に破断を誘発させることができるようになる。
【００１３】
請求項５に記載の発明は、請求項１に記載の車両用ステアリングホイールにおいて、前記固定部は前記スポークに対向する前記装飾部の対向面から同スポーク側に突出するとともに折曲して前記スポークに固定されるものであり、前記分離誘発部は前記固定部の折曲角部を局所的に薄肉化しその薄肉化した部分を前記芯金の変形時に破断させるものであることを要旨とする。
【００１４】
同構成によれば、芯金の変形時に作用する力によって応力集中が生じる折曲角部を薄肉化するようにしているため、同折曲角部を起点として亀裂が発生し易くなり、分離誘発部において容易に破断を誘発させることができるようになる。
【００１５】
請求項６に記載の発明は、請求項１〜５のいずれか一項に記載の車両用ステアリングホイールにおいて、前記ガーニッシュは異なる複数のスポークに掛け渡される態様にて前記複数の固定部がそれらスポークにそれぞれ固定されるものであることを要旨とする。
【００１６】
ここで、車両衝突時において衝撃を効果的に吸収する上では、芯金が局所的に大きく変形することが望ましく、具体的にスポークについていえば、一部のスポークが大きく変形する一方、他のスポークは元の状態に保持される、といったように各スポークの変形態様が異なるものになることが望ましい。
【００１７】
一方、ステアリングホイールに対し、ガーニッシュが異なる複数のスポークに掛け渡される態様にて固定される場合には、例えばガーニッシュが同一のスポークに固定される場合と比較して、ガーニッシュによりスポークの変形が規制されることに起因する衝撃吸収性の低下が顕在化しやすい。
【００１８】
この点、上記構成によれば、ガーニッシュに分離誘発部が形成されているため、ガーニッシュが異なる複数のスポークに掛け渡される態様にて固定される構成にあっても、車両衝突時において芯金を容易に変形させることができ、その衝撃を効果的に吸収することができるようになる。
【００１９】
請求項７に記載の発明は、請求項６に記載の車両用ステアリングホイールにおいて、前記固定部は異なる２つのスポークにそれぞれ固定される第１の固定部及び第２の固定部を含み、前記分離誘発部は上記第１の固定部及び第２の固定部にそれぞれ対応して複数形成され、前記ガーニッシュは前記第１及び第２の固定部の中間において前記複数のスポークのうちいずれか一つに当接して前記装飾部を支持する支持台座を更に有してなることを要旨とする。
【００２０】
同構成によれば、芯金において第１及び第２のいずれか一方の固定部の近傍が局所的に変形した場合に、支持台座が支点となって他方の固定部にはこれを装飾部から離間させようとする力が作用するようになる。そして、この力により装飾部と固定部とを分離誘発部においてより好適に分離させることができるようになる。
【００２１】
請求項８に記載の発明は、請求項７に記載の車両用ステアリングホイールにおいて、前記第１及び第２の固定部のいずれか一方はステアリングホイールが非操作状態であるときに前記ボスと車両上下方向において同位置又は同ボスよりも車両上方側に位置するスポークに固定され、他方はステアリングホイールが非操作状態であるときに前記ボスよりも車両下方側に位置するスポークに固定されることを要旨とする。
【００２２】
ところで一般に、車両衝突時には、乗員が車両前方、すなわちステアリングホイール側に移動してその腹部がステアリングホイールの下部に接触する可能性が高い。そしてこの場合、ステアリングホイールが非操作状態であれば、芯金はその車両下方側に位置する部分が局所的に変形し、また同ステアリングホイールがこれを約１８０°回転した状態にあれば、車両上方側に位置する部分が局所的に変形することとなる。
【００２３】
この点、請求項８に記載の発明によれば、車両衝突によって局所的に変形し易い位置において第１及び第２の固定部のいずれか一方がスポークに固定されることとなるため、芯金が局所的に変形して一方の固定部の近傍が変形した場合に、支持台座を支点として他方の固定部には大きな力が作用することとなり、分離誘発部において他方の固定部と装飾部とを容易に分離させることができる。
【００２４】
請求項９に記載の発明は、請求項６〜８のいずれか一項に記載の車両用ステアリングホイールにおいて、前記ガーニッシュは前記複数の固定部のうち少なくとも一つはその固定部の位置する部位から延伸してその端部が前記リム上に位置することを要旨とする。
【００２５】
また、車両衝突時に乗員がステアリングホイールに接触する場合、特にリム（正確にはリムを被覆する合成樹脂部分）に接触する可能性が高い。上記構成によれば、ガーニッシュの端部をリム上に位置させるようにしているため、車両衝突時に乗員がステアリングホイールに接触する際に、ガーニッシュの端部に直接接触する可能性が高くなる。その結果、その端部がリム上に位置する固定部に直接力が作用し、他の固定部から装飾部を離間させようとする力が大きくなるために同固定部と装飾部とを一層容易に分離させることができるようになる。
【００２６】
請求項１０に記載の発明は、請求項１〜９のいずれか一項に記載の車両用ステアリングホイールにおいて、前記装飾部には車載機器を操作するための操作部が装着されることを要旨とする。
【００２７】
ところで、車両用ステアリングホイールにあっては、オーディオ機器や車載電話システム、あるいは車両変速機等々、車載機器を操作するための操作部がガーニッシュの装飾部に装着されることがある。また、ガーニッシュの装飾部に多彩な操作部を装着させる場合にあっては、芯金の複数のスポークに掛け渡されるようにして取り付けられる比較的大型のガーニッシュを採用することが考えられる。
【００２８】
ここで、ステアリングホイールの芯金の変形にガーニッシュが容易に追従するように剛性を低下させた場合、車載機器の操作部を操作する際にガーニッシュが変形し易くなり、その操作感が損なわれてしまうこととなる。したがって、こうした操作部の操作感を維持するために、ガーニッシュはある程度以上の剛性を有していることが必要となる。
【００２９】
この点、上記構成によれば、芯金の変形時には同芯金のスポークに固定されたガーニッシュの固定部はスポークから容易に分離する。そのため、芯金の変形がガーニッシュによって規制されないようにガーニッシュの剛性、特にその装飾部の剛性を低下させておく必要がない。したがって、車載機器の操作部を操作する際の操作感を損なうことなく安定した操作感を維持することができるようになる。
【発明の効果】
【００３０】
比較的大型のガーニッシュが装着されるステアリングホイールにあって、ガーニッシュの装飾自由度を維持しつつ、車両衝突時には芯金を容易に変形させることによりその衝撃を効果的に吸収することにある。
【発明を実施するための最良の形態】
【００３１】
以下、本発明を具体化した一実施形態について、図１〜３を参照して説明する。
図１に示されるように、車両の運転席の前方に位置するステアリングシャフトＳにはステアリングホイール１が装着されている。なお、以下の説明では、図１に示すステアリングホイール１が非操作状態にあり、同図１の上方が車両上方側に相当するものとする。
【００３２】
ステアリングホイール１の芯金は、ステアリングシャフトＳが連結されるボス１０と、ステアリングシャフトＳをその中心とする略円形状のリム１２と、そのリム１２とボス１０とを連結する複数のスポーク１１（１１ａ，１１ｂ，１１ｃ，１１ｄ）とによって構成されている。スポーク１１は詳しくは、ボス１０の左右からステアリングホイール１の径方向に沿ってリム１２まで延びる一対のスポーク１１ａ、ボス１０から下方に延びるスポーク１１ｂ、そのスポーク１１ｂの先端から分岐して左右斜め下方に延びてリム１２近傍まで延びる一対のスポーク１１ｃ、スポーク１１ａにおいてボス１０とリム１２との間に位置する部位から斜め下方に延びてリム１２近傍でスポーク１１ｃと連結された後にリム１２に連結されるスポーク１１ｄとによって構成されている。なお、これら芯金を構成するボス１０、リム１２、スポーク１１は、いずれもアルミニウムおよびマグネシウムの合金によって一体形成されている。
【００３３】
また、ステアリングホイール１において、ボス１０の上部にはパッド２が設けられるとともに、このパッド２の左右側部には同パッド２を挟むようにして一対のガーニッシュ３がそれぞれ設けられている。これらガーニッシュ３は、ステアリングホイール１の上方から下方に向けスポーク１１ｄに沿って延びるとともに、異なるスポーク１１ａ，１１ｄにそれぞれ固定されている。
【００３４】
また、芯金においてパッド２および一対のガーニッシュ３が設けられる部位以外の部分は、軟質の合成樹脂によって被覆されている。ここで、同図１に示されるように、リム１２およびこれを被覆する合成樹脂（以下、これらを合わせて「リム部４」という）の車両下方部分には、各ガーニッシュ３の下端部が所定間隔を隔ててそれぞれ被装されている。なお、このリム部４は、ボス１０がステアリングシャフトＳに連結されることにより、その上部が車両の前方側に位置するように適宜の角度で傾斜する状態となる。
【００３５】
次に図２を併せ参照して、ガーニッシュ３の構造および芯金に対するガーニッシュ３の固定態様について説明する。図２に示されるように、ガーニッシュ３は、装飾部３０と、この装飾部３０をスポーク１１に固定するための複数の固定部（第１の固定部３３、第２の固定部３４）とを備えている。また、装飾部３０は、表面が運転者側に露呈する表面部３１と、同表面部３１に図示しないねじによって固定された裏面部３２とによって構成されている。より詳細には、表面部３１は、裏面部３２を車両上方側から覆う外装部３１ａと、車両下方側においてリム部４の表面に被装される湾曲部３１ｂとからなる。一方、第１の固定部３３は裏面部３２と一体形成されてスポーク１１ａに固定され、第２の固定部３４は表面部３１と一体形成されてスポーク１１ｃに固定されている。
【００３６】
さらに、裏面部３２においてスポーク１１ｄに対向する面には、第１の固定部３３と第２の固定部３４との間に位置して同スポーク１１ｄ側に突出する支持台座３５が形成されている。この支持台座３５には位置決め用の凸部３６が形成されており、この凸部３６がスポーク１１ｃに形成された位置決め孔３７に嵌合されることにより、芯金に対する装飾部３０、換言すればガーニッシュ３の位置決めがなされる。
【００３７】
また、装飾部３０には複数の操作部２１（２１ａ〜２１ｅ），２２，２３が装着されている。すなわち、図１に示されるように、装飾部３０の車両上方側から順に、略円盤形状に形成された支持プレート上に配設された扇状をなす４つの操作部２１ａ〜２１ｄ及びその中央に配置された略円状をなす操作部２１ｅ、略矩形状をなす操作部２２、同じく略矩形状をなす操作部２３が装飾部３０にそれぞれ装着されている。これら操作部２１〜２３は、例えばオーディオ機器、車載電話システム、車両変速機の変速状態等の車載機器を乗員が操作する際に用いるものである。また、図１に示されるように、裏面部３２の内部には、電子基板２４が配設されており、この電子基板２４を介して乗員によるそれら操作部２１〜２３の操作情報が図示しない電子制御装置に送信される。なお、ガーニッシュ３の装飾部３０は、乗員が操作部２１〜２３を操作する際の操作安定性を維持するために、硬質であって剛性の高い合成樹脂によって形成されている。
【００３８】
次に、第１の固定部３３および第２の固定部３４について、図３を参照して説明する。なお、第２の固定部３４は、第１の固定部３３と略同様の形状を有しているため、ここでは、第１の固定部３３について詳細に説明するとともに、同第１の固定部３３と対応する第２の固定部３４の各部位には、図３においてその符号を括弧内に示すことにより説明を割愛する。
【００３９】
図３に示されるように、第１の固定部３３は、スポーク１１ａに対向する裏面部３２の対向面からスポーク１１ａ側に突出する略円柱状に形成されている。また、この第１の固定部３３にはねじ孔４２が形成され、同ねじ孔４２にねじ４１が螺着されることにより第１の固定部３３はスポーク１１ａに固定されている。したがって、第１の固定部３３はステアリングホイール１が非操作状態であるときにそのボス１０よりも車両上下方向においてわずかに上方側に位置にてスポーク１１ａに固定され、第２の固定部３４は同じくステアリングホイール１が非操作状態であるときにそのボス１０よりも車両下方側に位置してスポーク１１ｃに固定されることとなる。
【００４０】
第１の固定部３３の基端３３ａの外周に位置する部分には、薄肉部４３が形成されている。具体的には、基端３３ａの外周部分を囲繞する態様にて、装飾部３０の裏面部３２に環状溝４４が凹設されることにより薄肉部４３が形成されている。この環状溝４４は、その底部に位置する断面角Ａを鋭角とした断面三角形状を有している。なお、本実施形態において薄肉部４３が分離誘発部に相当する。
【００４１】
第２の固定部３４についても同様に環状溝４９が凹設されるとともに、同第２の固定部３４はねじ４６によりスポーク１１ｃに固定されている。
次に、上記のように構成された本実施形態のステアリングホイールの作用について図４および図５を併せ参照して説明する。
【００４２】
リム部４はその上部が車両の前方側に位置するように適宜の角度で傾斜しているため、車両衝突時に乗員がステアリングホイール１に接触する場合、最初にステアリングホイール１の下部に乗員の腹部が接触する可能性が高い。そしてこの場合、第２の固定部３４が位置するステアリングホイール１およびガーニッシュ３の下部に対して図２の矢印Ｆ１にて示す方向に力が作用することとなる。そして、こうした力が作用すると、リム部４の下部および一部のスポーク１１ｂ，１１ｃ，１１ｄは大きく変形して車両前方側に変位する一方、リム部４の上部及びその他のスポーク１１ａは変形量が小さく、元の状態を保持する。このため、ステアリングホイール１は図５に示されるようにその下方部分が局所的に変形して車両前方側に変位することとなる。
【００４３】
また、このようにステアリングホイール１が変形する場合、第２の固定部３４の近傍は固定されているスポーク１１ｃに追従して車両前方側に変位する。ここで、上述したように装飾部３０は操作部２１〜２３の操作安定性を維持するためにある程度の剛性を有したものとなっているため、ステアリングホイール１の変形に際して同一形状を保持しようとする。したがって、図２の矢印Ｆ２にて示されるように、第１の固定部３３の近傍には、裏面部３２に配設された支持台座３５を支点として第２の固定部３４に作用する力と逆方向の向の力、換言すれば、装飾部３０を第１の固定部３３から離間させようとする力が作用する。このため、環状溝４４の底部頂点に応力集中が生じ、同頂点に亀裂が発生するようになる。そして、このように環状溝４４に各底部頂点に生じた亀裂は更に成長し、例えば同図４に示すように装飾部３０の裏面部３２が破断し、同裏面部３２がスポーク１１ａから分離する。その結果、図５に示されるように、ガーニッシュ３は、元の形状を保持した状態でその上端部がステアリングホイール１から分離することとなる。
【００４４】
これに対して、車両衝突時にステアリングホイール１が１８０°回転した状態にある場合には、図１のステアリングホイール１およびガーニッシュ３の上方、すなわち第１の固定部３３の近傍において、乗員がはじめに接触する可能性が高い。そしてこの場合、作用する力の向きが上述した場合とは逆向きとなり、装飾部３０の表面部３１を第２の固定部３４から離間させようとする力が作用する。その結果、上述した場合と同様の態様をもって装飾部３０の表面部３１が破断し、第２の固定部３４がスポーク１１ｄから分離するようになる。
【００４５】
以上詳述した本実施形態によれば、次の効果が得られる。
（１）ガーニッシュ３の各固定部３３，３４の近傍に分離誘発部として機能する薄肉部４３，４８を形成するようにしたため、芯金の変形に伴って容易にガーニッシュ３の装飾部３０を各固定部３３，３４から分離させることができる。したがって、芯金の変形がガーニッシュ３によって規制されることがなく、衝撃を効果的に吸収することができるようになる。また、このようにガーニッシュ３よって芯金の変形が規制されることがないため、芯金の変形を確保するために装飾部３０の剛性を低下させる必要がない。したがって、装飾部３０に装着される操作部２１〜２３を乗員が操作する際の適度な操作感が得られる程度に、ガーニッシュ３、特に装飾部３０の剛性を保持することができるため、操作部２１〜２３の操作感を損なうことがない。そして、このように芯金の変形性を確保するとともに操作部２１〜２３の操作安定性を保持することができるため、大型のガーニッシュ３を採用して操作部２１〜２３の配置や形状に関する自由度を高める等により意匠性の向上を図ることができる。
【００４６】
（２）環状溝４４，４９は、その底部に位置する断面角Ａを鋭角とした断面三角形状を有しているため、その底部頂点に応力集中が生じてこの頂点を起点とした亀裂が発生しやすくなる。したがって、各固定部３３，３４の基端３３ａ，３４ａ近傍において、より容易に破断を誘発させることができるようになる。
【００４７】
（３）装飾部３０にはスポーク１１ｄに支持される支持台座３５を形成するようにしているため、第１の固定部３３または第２の固定部３４のいずれか一方の近傍に位置するスポーク１１が変形した場合に、支持台座３５が支点となって他方にこれを装飾部３０から離間させようとする力がより効果的に作用するようになる。
【００４８】
（４）ステアリングホイール１が非操作状態であるときに、第１の固定部３３はボス１０と車両上下方向において上方側に位置してスポーク１１ａに固定される一方、第２の固定部３４はボス１０よりも車両下方側に位置してスポーク１１ｄに固定されている。このように、各固定部３３，３４は車両衝突によって局所的に変形し易い位置にてスポーク１１ａ，１１ｄに固定されているため、ステアリングホイール１の芯金が局所的に変形して場合に、芯金が局所的に変形して一方の固定部３３，３４の近傍が変形した場合に、支持台座３５を支点として他方の固定部３３，３４には大きな力が作用することとなり、同他方の固定部３３，３４から装飾部３０を容易に分離させることができる。
【００４９】
（５）ガーニッシュ３はその端部が第２の固定部３４の位置する部位から延伸してリム部４の表面に被装されている。このため、車両衝突時の乗員がステアリングホイール１に接触した際、その力が直接ガーニッシュ３の一端に作用することとなる。したがって、装飾部３０を第１の固定部３３から離間させようと作用する力を大きくすることができ、それらを一層容易に分離させることができるようになる。
【００５０】
なお、以下に本発明の実施形態の変形例、及び、参考例を示す。
・本実施形態では、薄肉部４３として第１の固定部３３の基端３３ａの外周部分を囲繞する態様にて環状溝４４を形成する例を示したが、図６に示すように、装飾部６０において固定部６３の基端６３ａの外周部分にその全周にわたって環状溝６４を凹設することで薄肉部６５を形成してもよい。このような態様であっても、上記効果に準ずる効果を奏することができる。なお、上記実施の形態及び図６に示されるその変形例では、その底部に位置する断面角を鋭角とした断面三角形状である環状溝を例示したが、車両衝突時の衝撃により固定部とガーニッシュの装飾部とを分離させることができるのであれば、同断面角は鋭角でなくてもよく、また断面形状についても適宜変更することができる。
【００５１】
・図７に示すように装飾部７０の一部に孔７１を形成し、この孔７１に固定部７３を圧入することにより同固定部７３を装飾部７０に対して固定させるようにしてもよい。なお、ガーニッシュに装着された操作部を操作する際には固定部７３が孔７１から抜け落ちたることがなく、車両衝突時に乗員がステアリングホイール１に接触したときの衝撃によって固定部７３が孔７１から抜け落ちる程度の圧入強度をもって固定部７３を孔７１に圧入する。そしてこの場合は、装飾部７０と固定部７３との嵌合部分７２が分離誘発部として機能することとなる。
【００５２】
・また、図８に示すように、図７に示す態様と同様に装飾部８０の一部に孔８１を形成し、この孔８１に固定部８３を挿通させた後に、同固定部８３の突出部分を加熱変形させて変形部８４を形成することにより、固定部８３を装飾部８０の孔８１に固定する構成を採用することもできる。なお、この変形部８４は、ガーニッシュに装着された操作部を操作する際には固定部８３が孔８１から抜け落ちることがなく、車両衝突時に乗員がステアリングホイール１に接触したときの衝撃によって変形部８４が破損して固定部８３が孔８１から抜け落ちる程度の剛性を有している。そしてこの場合は、変形部８４が分離誘発部として機能することとなる。
【００５３】
・本実施形態においては、第１の固定部３３および第２の固定部３４は装飾部３０から対向するスポーク１１側に突出する略円柱状に形成されている例を示したが、この固定部の形状は略円柱状に限られず、適宜変更してもよい。
【００５４】
・さらに固定部は、装飾部から対向するスポーク側に突出する形状を有するものに限られない。例えば図８に示す構成を一部変更した図９に示すような構成を採用することもできる。すなわち、装飾部９０に形成された孔９１に固定部９３を挿通させ、突出部分を加熱変形させて変形部９４を形成する。そして、装飾部９０に接するように湾曲したスポーク９５を介して固定部９３のねじ孔９７にねじ９６を螺着させる。なお、このように固定部がスポーク側に突出する形状を有するものに限られない点については、上記実施の形態および図６、図７に示す変更例についても同様である。
【００５５】
・また、図１０に示されるような構成を採用することもできる。すなわち、固定部１０３を装飾部１００から車両下方側に延びるとともに、ガーニッシュ外縁から突出するように折り曲げられた形状とする。また、その固定部１０３の折曲角部に沿って延びる溝１０４を形成する。そして、この固定部１０３に形成されたねじ孔１０７にねじ１０６を螺着することによりガーニッシュの装飾部１００をスポーク１０１に固定させる。同構成によれば、溝１０４により薄肉部１０２が形成されて剛性が低下しているため、外力が作用した際には薄肉部１０２が破断して装飾部１００がスポーク１０１から分離する。
【００５６】
・上記実施形態においては、支持台座３５を有する例を示したが、こうした支持台座を有していない構成を採用することもできる。この場合であっても、上記（４）を除いた作用効果については得ることができる。
【００５７】
・固定部とスポークとの固定態様は、分離誘発部による分離を規制しないものであれば、ねじによる螺着に限られない。
・上記実施形態では、ガーニッシュ３の両端部のうち、車両下方側に位置する端部のみがリム部４に被装されるようにしたが、芯金のスポークの形状を適宜変更する等してガーニッシュの両端部がリム部４に被装される、あるいは車両上方側に位置する端部、すなわち第１の固定部３３側の端部のみが延伸して同リム部４に被装される構成を採用することもできる。この場合であっても、ガーニッシュのいずれか一方に衝撃力が作用した場合に他方に位置する固定部の分離誘発部によりガーニッシュが分離されるよう作用させることができる。
【００５８】
・上記実施形態では、ステアリングホイール１にガーニッシュ３を左右に２個配置する構成を示したが、こうしたガーニッシュの数や形状は適宜変更することができる。
・ガーニッシュの装飾部における表面部と裏面部とは一体成型するようにしてもよい。
【００５９】
・また、図１１（ａ）に示すように、支持台座３５の凸部３６の長さを延長して支持台座３５の本体とスポーク１１ｄとを所定間隔Ｌだけ離間させるとともに、同支持台座３５の本体に凸部３６の基端外周部分を囲繞する態様にて環状溝３９を凹設する構成を採用することもできる。同構成によれば、図１１（ｂ）に示すように、車両衝突時に作用する力によって凸部３６が支持台座３５の本体から破断して同本体の内部に没入するようになるため、ステアリングホイール１の衝撃吸収性を一層高めることができるようになる。なお、このように凸部３６が支持台座３５の本体内部に没入した際であっても、支持台座３５の本体はスポーク１１ｄと接触しているため、固定部３３，３４を離間させる際の支点となる機能が失われることはない。
【００６０】
・ガーニッシュに装着する操作部の形状、個数等は適宜変更してもよい。また、ガーニッシュには操作部が装着されていなくてもよい。
【図面の簡単な説明】
【００６１】
【図１】本発明の実施形態にかかるステアリングホイールの正面図。
【図２】図１のＸ−Ｘ線に沿ったガーニッシュの部分断面構造を示す部分断面図。
【図３】図２における部分拡大断面図。
【図４】図３において外力作用時の状態を説明する部分拡大断面図。
【図５】本発明の実施形態にかかるステアリングホイールについて外力作用時の状態を説明する側面図。
【図６】本実施形態にかかるステアリングホイールの変形例について示す部分拡大断面図。
【図７】ステアリングホイールの参考例について示す部分拡大断面図。
【図８】ステアリングホイールの参考例について示す部分拡大断面図。
【図９】ステアリングホイールの参考例について示す部分拡大断面図。
【図１０】本実施形態にかかるステアリングホイールの別の変形例について示す部分拡大断面図。
【図１１】（ａ）本実施形態にかかるステアリングホイールの別の変形例について示す部分拡大断面図。（ｂ）図１１（ａ）において外力作用時の状態を説明する部分拡大断面図。
【符号の説明】
【００６２】
１…ステアリングホイール、２…パッド、３…ガーニッシュ、４…リム部、１０…ボス、１１，９５，１０１…スポーク、１２…リム、２１，２２，２３…操作部、２４…電子基板、３０，６０，７０，８０，９０，１００…装飾部、３１…表面部、３２…裏面部、３３…第１の固定部、３４…第２の固定部、３５…支持台座、３６…凸部、３７…位置決め孔、３９，４４，４９，６４…環状溝、４１，４６，９６，１０６…ねじ、４２，４７，９７，１０７…ねじ孔、４３，４８，６５，１０２…薄肉部、６３，７３，８３，９３，１０３…固定部、７１，８１，９１…孔、７２…嵌合部分、８４，９４…変形部、１０４…溝。
【図１】
0004998138.tif 000002
【図２】
0004998138.tif 000003
【図３】
0004998138.tif 000004
【図４】
0004998138.tif 000005
【図５】
0004998138.tif 000006
【図６】
0004998138.tif 000007
【図７】
0004998138.tif 000008
【図８】
0004998138.tif 000009
【図９】
0004998138.tif 000010
【図１０】
0004998138.tif 000011
【図１１】
0004998138.tif 000012